(57)【要約】    【課題】閉封作業を簡素化できると共に、開封の作業性及び物品の出し入れ易さを向上できる包装用箱を提供する。    【解決手段】展開された一枚のシート２を折り曲げることで箱体形状に組み立てられる包装用箱１において、右側壁１３には、上壁１７に上側から重なる天壁１８を連接し、さらに天壁１８には差込み片１９を連接する。左側壁１４には、差込み片１８が差し込まれるロック部８０を連接する。そして、差込み片１９をロック部８０に差し込むことで、左右の側壁１３，１４を展開しないようにロックし、包装用箱１を閉じた箱体形状とする。一方で、差込み片１９を抜き出して、左右の側壁１３，１４を底壁１０と同一平面となる位置まで展開することで、左右方向に物品の取出し口２０が形成されるようにした。    【選択図】図４
2010036941.tif 000002
【特許請求の範囲】
【請求項１】
展開された一枚のシートを折り曲げることで、内部に物品を収容可能な箱体形状に組み立てられる包装用箱において、
箱体形状における前後一対の側壁のうち、一方の側壁には、底壁に対向する上壁が連接され、他方の側壁には、上壁が直接的に又は間接的に固着され、
箱体形状における左右一対の側壁のうち、一方の側壁には、上壁に上側から重なる天壁が連接され、さらに天壁には差込み片が連接され、他方の側壁には、差込み片を抜差し可能に差し込まれるロック部が連接されており、
差込み片をロック部に差し込むことにより、左右一対の側壁が展開しないようにロックされて、当該包装用箱が閉じられた箱体形状となる一方、
差込み片をロック部から抜き出すことにより、左右一対の側壁が底壁と同一平面となる位置へと展開されて、当該包装用箱の左右方向に物品の取出し口が形成されるようにした、包装用箱。
【請求項２】
前記ロック部を画成するのに用いられる一対のフラップが、左側壁と前後一対の各側壁とに連接されており、
左側壁を底壁から立ち上げるように折り曲げることにより、一対のフラップがそれぞれ内側に折り込まれてロック部を画成する一方、
差込み片をロック部から抜き出すことにより、一対のフラップが折り込まれていたことによる復元力によって展開し、この展開動作によって、ロック部が解消され且つ左側壁が底壁と同一平面となる方向へと展開される、請求項１に記載の包装用箱。
【請求項３】
前記ロック部が解消された状態において、前記一対のフラップは、前後一対の側壁と同一平面となる位置まで少なくとも展開するように構成されている、請求項２に記載の包装用箱。
【請求項４】
前記一対のフラップ（以下、第１のフラップという。）とは別の一対のフラップ（以下、第２のフラップという。）が、右側壁と前後一対の各側壁とに連接されており、
右側壁を底壁から立ち上げるように折り曲げることにより、一対の第２のフラップがそれぞれ内側に折り込まれる一方、
差込み片をロック部から抜き出すことにより、一対の第２のフラップが折り込まれていたことによる復元力によって展開し、この展開動作によって、右側壁が底壁と同一平面となる方向へと展開される、請求項２又は３に記載の包装用箱。
【請求項５】
一対の第１のフラップ及び一対の第２のフラップは、箱体形状における上下方向の四辺において当該包装用箱の内外を連通する隙間を生じさせないように、それぞれが内側に折り込まれる、請求項４に記載の包装用箱。
【発明の詳細な説明】
【技術分野】
【０００１】
本発明は、例えば化粧品などの物品を内部に収容するための包装用箱に関する。
【背景技術】
【０００２】
一般的な段ボール箱に代表されるように、一枚のシートを折り曲げることで箱体形状に組み立てられる包装用箱が広く知られており、市場ではその目的に応じた工夫が施された包装用箱が提供されている。例えば、特許文献１に記載の包装用箱は、底蓋の組立てがワンタッチでできるように構成され、また、特許文献２に記載の包装用箱は、天蓋及び底蓋の開封が行い難くなるように構成されている。
【特許文献１】特開２００８−５６２６２号公報
【特許文献２】特開２００３−２９１９４６号公報
【発明の開示】
【発明が解決しようとする課題】
【０００３】
しかし、特許文献１及び２に記載の包装用箱は、箱体形状への組立てにおいて、天蓋及び底蓋の両方を閉封する必要があるため、閉封作業に手間がかからないとは必ずしもいえなかった。また、これらの包装用箱は、天蓋の開封後に上側から物品を取り出すものであるため、例えばトレーなどに載せた商品（ケーキや化粧品）を上側から取り出し易いとはいえなかった。
【０００４】
本発明は、閉封作業を簡素化できると共に、開封の作業性及び物品の出し入れ易さを向上できる包装用箱を提供することをその目的とする。
【課題を解決するための手段】
【０００５】
上記目的を達成するべく、本発明の包装用箱は、展開された一枚のシートを折り曲げることで、内部に物品を収容可能な箱体形状に組み立てられるものにおいて、箱体形状における前後一対の側壁のうち、一方の側壁には、底壁に対向する上壁が連接され、他方の側壁には、この上壁が直接的に又は間接的に固着される。箱体形状における左右一対の側壁のうち、一方の側壁には、上壁に上側から重なる天壁が連接され、さらに天壁には差込み片が連接され、他方の側壁には、差込み片が抜差し可能に差し込まれるロック部が連接される。そして、差込み片がロック部に差し込まれることにより、左右一対の側壁が展開しないようにロックされて、包装用箱が閉じられた箱体形状となる。一方で、差込み片がロック部から抜き出されることにより、左右一対の側壁が底壁と同一平面となる位置へと展開されて、包装用箱の左右方向に物品の取出し口が形成される。
【０００６】
本発明によれば、差込み片の差込み作業によって取出し口を閉封することができるため、閉封作業を一回で済ませることができる。また、差込み片の抜出し作業によって取出し口が形成されるため、開封の作業を簡略化できる。加えて、取出し口は包装用箱の左右方向に形成されるので、包装用箱の横側の左右どちらからでも包装用箱内へのアクセスが可能となる。このため、例えばトレーなどに載っている物品の出し入れ易さを向上することができる。
【０００７】
本発明の好ましい一態様によれば、ロック部を画成するのに用いられる一対のフラップが、左側壁と前後一対の各側壁とに連接されるとよい。そして、左側壁を底壁から立ち上げるように折り曲げることにより、一対のフラップがそれぞれ内側に折り込まれてロック部を画成するとよい。また、差込み片をロック部から抜き出すことにより、一対のフラップが折り込まれていたことによる復元力によって展開し、この展開動作によって、ロック部が解消され且つ左側壁が底壁と同一平面となる方向へと展開されるとよい。
【０００８】
この態様によれば、箱体形状における上下方向の強度をフラップによって高めることができる。また、差込み片の抜出し作業によって、フラップがその復元力によって自動的に展開するようになるため、これに伴って左側壁も自動的に展開するようになる。これにより、開封の作業性をより一層高めることができる。
【０００９】
より好ましい一態様によれば、ロック部が解消された状態において、一対のフラップは、前後一対の側壁と同一平面となる位置まで少なくとも展開するように構成されるとよい。
【００１０】
この態様によれば、フラップが取出し口を前後方向で狭めることを抑制でき、取出し口の前後方向長さを十分に確保することができる。
【００１１】
また、好ましい一態様によれば、一対のフラップ（以下、第１のフラップという。）とは別の一対のフラップ（以下、第２のフラップという。）が、右側壁と前後一対の各側壁とに連接されるとよい。そして、右側壁を底壁から立ち上げるように折り曲げることにより、一対の第２のフラップがそれぞれ内側に折り込まれるとよい。また、差込み片をロック部から抜き出すことにより、一対の第２のフラップが折り込まれていたことによる復元力によって展開し、この展開動作によって、右側壁が底壁と同一平面となる方向へと展開されるとよい。
【００１２】
この態様によれば、上記同様に、箱体形状としての上下方向の強度が高まる上、開封の作業性がより一層高まる。
【００１３】
より好ましい一態様によれば、一対の第１のフラップ及び一対の第２のフラップは、箱体形状における上下方向の四辺において包装用箱の内外を連通する隙間を生じさせないように、それぞれが内側に折り込まれるとよい。
【００１４】
この態様によれば、ほこりやゴミなどの異物が包装用箱内に侵入することを防止できる。
【発明を実施するための最良の形態】
【００１５】
以下、添付図面を参照して、本発明の好適な実施形態に係る包装用箱について説明する。なお、図１を基準に前後、左右、上下を特定して説明するが、もちろん前後と左右とが逆のものも本発明の包装用箱に適用できることはいうまでもない。
【００１６】
図１に示す包装用箱１は、図３に示す一枚の展開されたシート２を折り曲げることで、最終的に立方体ないしは直方体の箱体形状に組み立てられるものである。シート２の材質としては、厚紙を用いることができる。
【００１７】
図１及び図３に示すように、箱１は、底壁１０、前後左右の４つの側壁１１〜１４、右側の一対のフラップ１５ａ、１５ｂ、左側の一対のフラップ１６ａ，１６ｂ、上壁１７、天壁１８、及び差込み片１９を有する。箱１の取出し口２０は、箱１の内部を左右方向に貫通するように形成される。
【００１８】
前壁１１及び後壁１２は、図３に示すように、それぞれの下端が折り線２１，２２を介して底壁１０に連接される。また、前壁１１の上端は、折り線２３を介して上壁１７に連接され、後壁１２の上端は、折り線２４を介して固着片２５に連接される。固着片２５の外面には糊付け部２６が設けられており、箱１の組立て状態において、上壁１７の内面が糊付け部２６によって固着片２５に糊付けされる。これにより、上壁１７が後側壁１２に間接的に固着される。
【００１９】
別の実施態様では、上壁１７に固着片２５を連接し、固着片２５を後側壁１２に糊付けすることで、上壁１７を後側壁１２に間接的に固着してもよい。もっとも、上壁１７を後側壁１２に直接的に固着してもよい。固着する方法は、糊付けに限らず、接着など他の方法を用いることができる。
【００２０】
右側壁１３及び左側壁１４は、図３に示すように、それぞれの下端が折り線３１，３２を介して底壁１０に連接される。また、右側壁１３の上端は、折り線３３を介して天壁１８に連接される。天壁１８は、箱１の組立て状態において、上壁１７に上側から重なる（図４参照）。天壁１８は、折り線３４を介して差込み片１９に連接される。差込み片１９は、差し込み易いように、先端側の両端が円弧で形成される。また、差し込み易いように、差込み片１９は、折り線３４側の長さｌ１が天壁１８及び左側壁１４の長さｌ２よりも僅かに短く形成される。なお、右側壁１３及び天壁１８の外面には、例えば、箱１に収容する物品の内容を表示する文字やマークなどを印刷するとよい。
【００２１】
右側のフラップ１５ａ，１５ｂは、内角９０°の扇形からなる。右側のフラップ１５ａ，１５ｂは、図３に示すように、それぞれ、折り線４１,４２を介して右側壁１３に連接されると共に折り線４３，４４を介して前壁１１及び後壁１２に連接される。フラップ１５ａには、その扇形の頂点から４５°の方向に、切込み線５１及びミシン線５２が順次形成される。ミシン線５２は、扇形の中央から円弧部分にかけて形成される。箱１が組立てられた状態では、フラップ１５ａ及びフラップ１５ｂは、切込み線５１及びミシン線５２を起点として内側に折り込まれるようになる（図２及び図４参照）。
【００２２】
左側のフラップ１６ａ，１６ｂは、図３に示すように、右側のフラップ１５ａ，１５ｂと同様に構成され、折り線６１〜６４を介して左側壁１４、前壁１１及び後壁１２に連接される。そして、フラップ１６ａ，１６ｂは、フラップ１５ａ，１５ｂと同様に、箱１の組立て状態において、切込み線７１及びミシン線７２を起点として内側に折り込まれる。フラップ１６ａ，１６ｂがフラップ１５ａ，１５ｂと異なる点は、フラップ１６ａ，１６ｂでは、差込み片１９のためのロック部８０（図２及び図４参照）を画成することである。
【００２３】
図２及び図４に示すように、ロック部８０は、フラップ１６ａ，１６ｂが内側に折り込まれることによって画成される部位であり、詳細には、内側に折り込まれて左側壁１４に対面する各々の半部８１、８２によって画成される。図３に示すように、半部８１は、８分の一円に相当する扇部であり、一辺が折り線６１により、もう一辺が切込み線７１及びミシン線７２により構成される。同様に、半部８２の扇部の一辺は、折り線６２により、もう一辺が切込み線７１及びミシン線７２により構成される。箱１の組立て状態において、半部８１，８２と左側壁１４との間の空間に差込み片１９が挿入される（図２及び図４参照）。
【００２４】
なお、ロック部８０は、差込み片１９を抜差し可能に差し込める構成であれば、上記の構成に限定されるものではない。また、フラップが折られる起点となる部位を切込み線及びミシン線の組合せとしたが、どちらか一方のみで構成してもよいし、連続した折り線で構成してもよい。
【００２５】
以上説明した本実施形態の箱１の作用効果を説明する。
【００２６】
＜１．閉封作業＞
先ず、箱１を閉封する場合には、図３に示す扁平なシート２を上記の折り線２１〜２４，４１，４２，６１，６２で折ると共に、上記した糊付けを行い、図１に示す形状へと組み立てる。この状態では、取出し口２０が、左側壁１４の一端から右側壁１３の一端にかけて開封された状態となる。
次いで、図２に示すように、左側壁１４を底壁１０から立ち上げるように折り線３２で折り曲げる。この折り曲げにより、左側のフラップ１６ａ，１６ｂも内側に折り込まれ、ロック部８０が画成される。
今度は、右側壁１３を底壁１０から立ち上げるように折り線３１で折り曲げ、それにより右側のフラップ１５ａ，１５ｂを内側に折り込ませる（図２参照）。
そして、図４に示すように、右側壁１３を底壁１０に対し垂直となる位置まで折り曲げ、天壁１８を上壁１７に重なるように折り線３３で折り、さらに差込み片１９を折り線３４で下側へと折ってロック部８０に差し込む。
最終的に、差込み片１９をロック部８０の奥まで差し込むことで、折り線３４が左側壁１４の上端と同じ位置に達し、箱体形状へと組み立てられた箱１が完成し、取出し口２０が完全に閉じられることになる。
【００２７】
このように、本実施形態の箱１によれば、一つの差込み片１９の差込み作業によって取出し口２０を閉封することができる。よって、従来のように二つの蓋を閉じる作業が必要とならず、一回の閉封作業で済ますことができる。しかも、閉封作業時の右側壁１３及び左側壁１４の折り曲げによって、フラップ１５ａ，１５ｂ，１６ａ，１６ｂが内側に折り込まれるようになるので、閉封の作業性をより向上することができる。
【００２８】
＜２．閉じた状態（組立て状態）＞
この状態では、箱１の上下方向の４辺には、箱１の内外を連通する隙間が生じないようになる。これは、この４辺に相当する位置では、フラップ１５ａ，１５ｂ，１６ａ，１６ｂが内側に折り込まれているからである。したがって、ほこりやゴミなどの異物が箱１の内部に侵入することを抑制することができることはもちろん、箱１の外観の意匠性も高めることができる。さらには、箱１の上下方向の強度もフラップ１５ａ，１５ｂ，１６ａ，１６ｂによって高めることができる。それゆえ、箱１を上下方向に積み重なることもでき、その管理もし易い。
【００２９】
また、折り込まれているフラップ１５ａ，１５ｂ，１６ａ，１６ｂによって、右側壁１３及び左側壁１４の閉じた状態で維持されるようにもなる。この理由を説明する。
箱１を閉じた状態では、折り込まれたことによるフラップ１５ａ，１５ｂの復元力によって、右側壁１３には図４（ｂ）の矢印９０の方向（つまり外側方向）への力が作用される。このため、ロック部８０内の差込み片１９は、同様に復元力によって矢印９１の方向への力が作用されるフラップ１６ａ，１６に対して、半部８１，８２を右側に（矢印９１の方向と反対側に）ひきつける。このことをフラップ１６ａ，１６ｂ側から考察すれば、ロック部８０が、差込み片１９を介して右側壁１３を左側に（矢印９０の方向と反対側に）ひきつけることを意味する。
したがって、差込み片１９をロック部８０に差し込んだ状態では、右側壁１３及び左側壁１４の双方が外側に展開しないように強固にロックされて、差込み片１９が自由状態でロック部８０から抜けないようになり、閉じた状態が維持される。
【００３０】
＜３．開封作業＞
箱１を開封する場合には、差込み片１９をロック部８０から抜き出せばよい。抜き出すことにより、図４に示すように、フラップ１５ａ，１５ｂ，１６ａ，１６ｂが上記の復元力によって自動的に展開する。この展開動作によって、右側壁１３が矢印９０の方向に展開されるようになる。同様に、フラップ１６ａ，１６ｂの展開動作によって、左側壁１４が矢印９１の方向に展開され、ロック部８０が解消（消滅）されるようになる。そして、図１に示すように、右側壁１３及び左側壁１４を底壁１０と同一平面となる位置まで展開すると、取出し口２０が箱１の内部を左右方向に貫通するように形成される。
【００３１】
このように、本実施形態の箱１によれば、差込み片１９の抜出し作業によって取出し口２０を開封することできるため、開封の作業を簡略化できる。しかも、フラップ１５ａ，１５ｂ，１６ａ，１６ｂの復元力を利用して右側壁１３及び左側壁１４を展開させることができるため、開封作業をサポートすることができる。
【００３２】
また、開封後は、取出し口２０が箱１の左右方向に形成されるので、箱１の左右どちらからでも内部の物品にアクセスできるようになる。よって、物品の取り出し易さを向上することができる。特に、底壁１０上にトレーを置いてそのトレーに商品（例えば化粧品など）を載せている場合には、トレーを底壁１０と平行に滑らせることで商品を簡単に取り出すことができる。
【００３３】
さらに、開封後は、図１に示すように、フラップ１５ａ，１５ｂ，１６ａ，１６ｂを底壁１０と垂直となる位置へと展開できるため、取出し口２０の前後方向のサイズがフラップ１５ａ，１５ｂ，１６ａ，１６ｂによって狭められることを抑制できる。特に、フラップ１５ａ，１５ｂ，１６ａ，１６ｂは、切込み線５１，７１及びミシン線５２，７２を起点として外側に折り出すことも可能であるため、取出し口２０の前後方向のサイズをより一層広く確保することができる。
【図面の簡単な説明】
【００３４】
【図１】実施形態に係る包装用箱の斜視図であり、取出し口を左右方向に形成した状態を示す。
【図２】実施形態に係る包装用箱の斜視図であり、左右の側壁を一部閉じた状態を示す。
【図３】実施形態に係る包装用箱の展開図である。図２の正面図である。
【図４】実施形態に係る包装用箱について、左右の側壁を一部閉じた状態を示す図であり、（ａ）は平面図、（ｂ）正面から見た斜視図である。
【符号の説明】
【００３５】
１：包装用箱、  ２：シート、  １０：底壁、  １１，１２：前壁、後壁、  １３，１４：右側壁、左側壁、  １５ａ、１５ｂ：第２のフラップ、  １６ａ，１６ｂ：第１のフラップ、  １７：上壁、  １８：天壁、  １９：差込み片、  ２０：取出し口、  ８０：ロック部
【図１】
2010036941.tif 000003
【図２】
2010036941.tif 000004
【図３】
2010036941.tif 000005
【図４】
2010036941.tif 000006